(57)【要約】【課題】検出対象物の接触又は近接時の面積によらずに安定したタッチ検出が可能な静電検出装置を提供する。【解決手段】電圧が印加される駆動電極１１１（Ｙ１〜Ｙｍ）と、駆動電極１１１と交差して第１の離間距離で配置された第１検出電極１２１（Ｘ１１〜Ｘ１ｎ）と、第１検出電極１２１と平行に配置され、駆動電極１１１から第２の離間距離で配置された第２検出電極１２２（Ｘ２１〜Ｘ２ｎ）と、駆動電極１１１と第１検出電極１２１及び第２検出電極１２２に所定の電圧を印加し、それぞれの電極間（第１検出電極１２１と駆動電極１１１間、第２検出電極１２２と駆動電極１１１間）の検出対象物による静電容量の変化を検出してタッチ判定を行なう制御部１３０と、を有して静電検出装置を構成する。制御部１３０は、第１検出電極１２１と駆動電極１１１間の静電容量変化値と第２検出電極１２２と駆動電極１１１間の静電容量変化値とに基づいてタッチ判定を行なう。【選択図】図１
2016224607.tif 000002
【特許請求の範囲】
【請求項１】
第１電極と、
前記第１電極と交差して第１の離間距離で配置された第２電極と、
前記第２電極と平行に配置され、前記第１電極から第２の離間距離で配置された第３電極と、
前記第１電極と前記第２電極、及び前記第１電極と前記第３電極にそれぞれ所定の電圧を印加し、前記それぞれの電極間の検出対象物による静電容量の変化を検出してタッチ判定を行なう制御部と、を有し、
前記制御部は、前記第１電極と前記第２電極間の静電容量変化値、及び前記第１電極と前記第３電極間の静電容量変化値とに基づいて、前記タッチ判定を行なうことを特徴とする静電検出装置。
【請求項２】
前記制御部は、前記第１電極と前記第２電極間の静電容量変化値、及び前記第１電極と前記第３電極間の静電容量変化値との線形結合に基づいて、前記タッチ判定を行なうことを特徴とする請求項１に記載の静電検出装置。
【請求項３】
前記第３電極は、前記第２電極よりも前記第１電極からの離間距離が大きく設定されていることを特徴とする請求項１又は２に記載の静電検出装置。
【請求項４】
前記第３電極は、前記第２電極よりも電極幅が幅広に設定されていることを特徴とする請求項１から３のいずれか１項に記載の静電検出装置。
【請求項５】
前記第２電極は、前記検出対象物が接近する方向に対して前記第３電極へ投影した場合に、前記第３電極の一部と重なる位置に配置されていることを特徴とする請求項１から４のいずれか１項に記載の静電検出装置。
【発明の詳細な説明】
【技術分野】
【０００１】
本発明は、静電検出装置に関する。
【背景技術】
【０００２】
従来、静電容量型の入力部材を用いた静電検出装置が提案されている（例えば、特許文献１）。
【０００３】
この静電検出装置には静電容量検出方式の入力手段であるＸ−Ｙ座標位置を入力する平面型の入力パッドが設けられている。入力パッドには、上から順にパネル、複数のＸ電極、複数のＹ電極、Ｘ電極とＹ電極との間に介在する絶縁シートが設けられ、これらが基板上に重ねられて構成されている。Ｘ電極はＸ方向へ一定の間隔で形成され、Ｙ電極はＹ方向へ一定の間隔で形成されて、Ｘ電極とＹ電極がマトリックス状に対向している。複数のＸ電極、Ｙ電極はそれぞれ切換え検出手段に接続されており、順次、静電容量の変化量が求められてコンピュータの主制御部へ出力される構成とされている。
【０００４】
また、静電容量検出方式の静電検出装置において、検出感度を向上させるために、複数の検出電極を用いる方式の静電検出装置が提案されている（例えば、特許文献２）。
【０００５】
この静電検出装置は、透明基板と、透明基板の一面に第１方向に形成され、接触入力時に静電容量の変化を検知する第１検出電極と、第１検出電極の形成面と平行に離隔した面上に第１方向に第１検出電極と交互に配置され、接触入力時に静電容量の変化を検知する第２検出電極と、透明基板の他面に第１方向と交差する第２方向に形成される駆動電極と、を含む構成とされている。駆動電極により電圧を第１検出電極と第２検出電極に印加して、第１検出電極、第２検出電極と駆動電極間の静電容量の変化量を求める。これに基づいて、制御部により接触位置又は接触発生有無などを検出できるとされている。
【先行技術文献】
【特許文献】
【０００６】
【特許文献１】特開２００２−８２７６５号  公報
【特許文献２】特開２０１４−８１９１０号  公報
【発明の概要】
【発明が解決しようとする課題】
【０００７】
特許文献１の静電検出装置は、従来から多くの静電検出装置の構成として使用されている複数のＸ電極と複数のＹ電極が交差して構成されもので、パネルに接近または接触する指等の検出対象物による静電容量変化を検出することにより、パネルへのタッチ判定を行なうものである。しかし、検出対象物が例えば、太い指と細い指では静電容量変化の量が異なるため、閾値の設定によってタッチ誤判定やタッチ未検出等の問題が発生する場合がある。
【０００８】
また、特許文献２の静電検出装置は、複数の検出電極を用いる構成とすることにより、静電容量変化の検出感度を向上させるものである。しかし、検出対象物が例えば、太い指と細い指では静電容量変化の量が異なるため、検出感度を向上させてもタッチ誤判定やタッチ未検出の問題は解決されないという問題があった。
【０００９】
したがって、本発明の目的は、検出対象物の接触又は近接時の面積が多少異なっても安定したタッチ検出が可能になる静電検出装置を提供することにある。
【課題を解決するための手段】
【００１０】
［１］上記目的を達成するため、第１電極と、前記第１電極と交差して第１の離間距離で配置された第２電極と、前記第２電極と平行に配置され、前記第１電極から第２の離間距離で配置された第３電極と、前記第１電極と前記第２電極、及び前記第１電極と前記第３電極にそれぞれ所定の電圧を印加し、前記それぞれの電極間の検出対象物による静電容量の変化を検出してタッチ判定を行なう制御部と、を有し、前記制御部は、前記第１電極と前記第２電極間の静電容量変化値、及び前記第１電極と前記第３電極間の静電容量変化値とに基づいて、前記タッチ判定を行なうことを特徴とする静電検出装置を提供する。
【００１１】
［２］前記制御部は、前記第１電極と前記第２電極間の静電容量変化値、及び前記第１電極と前記第３電極間の静電容量変化値との線形結合に基づいて、前記タッチ判定を行なうことを特徴とする上記［１］に記載の静電検出装置であってもよい。
【００１２】
［３］前記第３電極は、前記第２電極よりも前記第１電極からの離間距離が大きく設定されていることを特徴とする上記［１］又は［２］に記載の静電検出装置であってもよい。
【００１３】
［４］また、前記第３電極は、前記第２電極よりも電極幅が幅広に設定されていることを特徴とする上記［１］から［３］のいずれか１に記載の静電検出装置であってもよい。
【００１４】
［５］また、前記第２電極は、前記検出対象物が接近する方向に対して前記第３電極へ投影した場合に、前記第３電極の一部と重なる位置に配置されていることを特徴とする上記［１］から［４］のいずれか１に記載の静電検出装置であってもよい。
【発明の効果】
【００１５】
本発明の静電検出装置によれば、検出対象物の接触又は近接時の面積が多少異なっても安定したタッチ検出が可能になる静電検出装置を提供する。
【図面の簡単な説明】
【００１６】
【図１】図１は、本発明の静電検出装置の全体ブロック構成図である。
【図２】図２（ａ）は、図１で示すＡ部の拡大詳細図であり、図２（ｂ）は、図２（ａ）におけるＢ-Ｂ断面図である。
【図３】図３（ａ）は、図２（ｂ）において、駆動電極と第１検出電極との間の電気力線を模式的に示した図であり、図３（ｂ）は、図２（ｂ）において、駆動電極と第２検出電極との間の電気力線を模式的に示した図である。
【図４】図４は、次の図５（ａ）〜（ｃ）に示す指位置ｚ、指サイズと静電容量変化値との関係をシミュレーションにより求める条件で、図４（ａ）は、モデル化した指（４角柱）と駆動電極、第１検出電極、第２検出電極との位置関係を示す斜視図であり、図４（ｂ）は、駆動電極に沿って断面した断面図である。
【図５】図５（ａ）は、駆動電極と第１検出電極との間のタッチ時の静電容量変化値を指位置ｚと指サイズＤとの関係で図示したもので、各ハッチング領域が右に示した静電容量変化値を示す領域である。図５（ｂ）は、駆動電極と第２検出電極との間のタッチ時の静電容量変化値を指位置ｚと指サイズＤとの関係で図示したもので、各ハッチング領域が右に示した静電容量変化値を示す領域である。また、図５（ｃ）は、駆動電極と第１検出電極との間のタッチ時の静電容量変化値、駆動電極と第２検出電極との間のタッチ時の静電容量変化値に基づく線形結合を指位置ｚと指サイズＤとの関係で図示したもので、各ハッチング領域が右に示した静電容量変化値を示す領域である。
【発明を実施するための形態】
【００１７】
（本発明の実施の形態）
本発明の実施の形態に係る静電検出装置１は、交差する駆動電極と検出電極により検出対象物、例えば、指のタッチ（接触）又は接近を静電容量の変化により判定、検出するものである。検出電極は、駆動電極からの配置位置がより近い第１検出電極と、駆動電極からの配置位置がより遠い第２検出電極から構成されている。この第１検出電極と第２検出電極のそれぞれの静電容量変化値の線形結合に基づいてタッチ判定を行なう構成とされている。これにより、例えば、指の太さ（太細）による影響を受けにくい構成とすることができ、検出対象物の接触又は近接時の面積が多少異なっても安定したタッチ検出が可能になる。
【００１８】
（静電検出装置１０の構成）
図１は、本発明の静電検出装置の全体ブロック構成図である。また、図２（ａ）は、図１で示すＡ部の拡大詳細図であり、図２（ｂ）は、図２（ａ）におけるＢ-Ｂ断面図である。
【００１９】
本発明の実施の形態において、第１電極を駆動電極、第２電極を第１検出電極、及び第３電極を第２検出電極として以下に説明する。ただし、電極の駆動、検出は逆の場合でも本発明は成立するので、第１電極を検出電極、第２電極を第１駆動電極、及び第３電極を第２駆動電極とすることも可能である。
【００２０】
本発明の実施の形態に係る静電検出装置１０は、電圧が印加される駆動電極１１１（Ｙ１〜Ｙｍ）と、駆動電極１１１と交差して第１の離間距離で配置された第１検出電極１２１（Ｘ１１〜Ｘ１ｎ）と、第１検出電極１２１と平行に配置され、駆動電極１１１から第２の離間距離で配置された第２検出電極１２２（Ｘ２１〜Ｘ２ｎ）と、駆動電極１１１と第１検出電極１２１及び第２検出電極１２２に所定の電圧を印加し、それぞれの電極間（第１検出電極１２１と駆動電極１１１間、第２検出電極１２２と駆動電極１１１間）の検出対象物による静電容量の変化を検出してタッチ判定を行なう制御部１３０と、を有し、制御部１３０は、第１検出電極１２１と駆動電極１１１間の静電容量変化値、及び第２検出電極１２２と駆動電極１１１間の静電容量変化値とに基づいて、タッチ判定を行なう構成とされている。特に、制御部１３０は、第１検出電極１２１と駆動電極１１１間の静電容量変化値、及び第２検出電極１２２と駆動電極１１１間の静電容量変化値との線形結合に基づいて、タッチ判定を行なうことができる。
【００２１】
（タッチパッド部１００の構成）
タッチパッド部１００は、例えば、操作指が触れた表面パネル１５０上の位置（検出点）を検出するタッチパッドである。操作者は、例えば、表面パネル１５０の操作領域に操作を行うことにより、接続された電子機器の操作を行うことが可能となる。タッチパッド部１００としては、例えば、複数の検出指の検出が可能な静電容量方式のタッチパッドを用いることが可能である。
【００２２】
このタッチパッド部１００は、例えば、表面パネル１５０に指が近接又は接触することによる、検出電極と指とにより形成される静電容量値の変化を検出するタッチパッドである。この検出電極は、図１に示すように、表面パネル１５０の下に複数設けられている。なお、表面パネル１５０は所定の誘電率を有する、例えば樹脂製の板部材である。
【００２３】
（駆動電極１１１）
図１に示すように、駆動電極１１１は、縦方向に等間隔で配置されている。本実施の形態では、駆動電極１１１は、Ｙ１〜Ｙｍのｍ本の電極が、図２（ｂ）に示すように、表面パネル１５０の下に複数設けられている。１本の駆動電極１１１は、例えば、幅１ｍｍの導体により形成されている。各駆動電極１１１（Ｙｉ、ｉ＝１〜ｍ）には、駆動部１１０がそれぞれ接続されており、所定周波数のパルス信号である駆動信号Ｓ０で電圧が順次印加される構成とされている。
【００２４】
（第１検出電極１２１）
図１、図２（ａ）に示すように、第１検出電極１２１は、駆動電極１１１と交差する方向（本実施の形態では直交する方向）に等間隔で配置されている。第１検出電極１２１は、Ｘ１１〜Ｘ１ｎのｎ本の電極が、図２（ｂ）に示すように、表面パネル１５０の下で、駆動電極１１１から所定の距離ｄ２に複数設けられている。１本の第１検出電極１２１は、例えば、幅１ｍｍの導体により形成されている。各第１検出電極１２１（Ｘ１ｊ、ｊ＝１〜ｎ）には、読出部１２０がそれぞれ接続されており、検出信号Ｓ１が順次読み出される構成とされている。なお、駆動電極１１１からの所定距離ｄ２は、種々の値に設定することが可能であるが、配線が可能なら、第１検出電極１２１は駆動電極１１１と同一の層に形成されてもよい。
【００２５】
（第２検出電極１２２）
図１、図２（ａ）に示すように、第２検出電極１２２は、駆動電極１１１と交差する方向（本実施の形態では直交する方向）に等間隔で配置されている。また、第２検出電極１２２は、第１検出電極１２１と平行に配置されている。第２検出電極１２２は、Ｘ２１〜Ｘ２ｎのｎ本の電極が、図２（ｂ）に示すように、表面パネル１５０の下で、駆動電極１１１から所定の距離ｄ３に複数設けられている。各第２検出電極１２２（Ｘ２ｊ、ｊ＝１〜ｎ）には、読出部１２０がそれぞれ接続されており、検出信号Ｓ２が順次読み出される構成とされている。
【００２６】
駆動電極１１１からの所定距離ｄ３は、距離ｄ２と異なればよく、種々の値に設定することが可能である。本実施の形態では、第２検出電極１２２は、第１検出電極１２１よりも駆動電極１１１からの離間距離が大きく設定されている。
【００２７】
１本の第２検出電極１２２は、例えば、幅５ｍｍの導体により形成されている。すなわち、図１、図２（ａ）に示すように、第２検出電極１２２は、第１検出電極よりも電極幅が幅広に設定されている。
【００２８】
また、図２（ａ）に示すように、第１検出電極１２１は、検出対象物が接近する方向に対して第２検出電極１２２へ投影した場合に、第２検出電極１２２の一部と重なる位置に配置されている。本実施の形態では、第１検出電極１２１は、第２検出電極１２２へ投影した場合に、第２検出電極１２２の中央に位置するように配置されている。
【００２９】
（制御部１３０の構成）
制御部１３０は、タッチ検出部１３１を含み、その他、記憶部等から構成されている。制御部１３０は、記憶されたプログラムに従って、取得したデータに演算、加工等を行うＣＰＵ、記憶部として半導体メモリであるＲＡＭ及びＲＯＭ等から構成されるマイクロコンピュータである。このＲＯＭには、例えば、制御部１３０が動作するためのプログラムが格納されている。ＲＡＭは、例えば、一時的に演算結果等を格納する記憶領域として用いられる。
【００３０】
制御部１３０は、所定のクロック周波数で駆動信号Ｓ０により各駆動電極１１１（Ｙｉ、ｉ＝１〜ｍ）に順次電圧を印加して駆動し、所定のクロック周波数で第１検出電極１２１（Ｘ１ｊ、ｊ＝１〜ｎ）、及び、第２検出電極１２２（Ｘ２ｊ、ｊ＝１〜ｎ）からそれぞれ検出信号Ｓ１、検出信号Ｓ２を順次読み出す。
【００３１】
この検出信号Ｓ１、Ｓ２は、指等が表面パネル１５０のパネル表面１５１に接触あるいは近接した場合に変化する静電容量値に対応した値である。すなわち、検出信号Ｓ１及び検出信号Ｓ２は、制御部１３０に２ＣＨの信号として読み込まれ、制御部１３０の内部で、指位置ｚとタッチ時の容量変化値との関係からキャリブレーションされることにより、容量変化値ΔＣＸ１−Ｙ、ΔＣＸ２−Ｙとしてレベル調整がされた値とされる。
【００３２】
タッチ検出部１３１は、検出信号Ｓ１及び検出信号Ｓ２に基づいて指等の検出対象物のタッチ検出、あるいは、近接検出を行なう。タッチ検出部１３１は、検出信号Ｓ１に基づく容量変化値ΔＣＸ１−Ｙと検出信号Ｓ２に基づく容量変化値ΔＣＸ２−Ｙとから算出された値が所定の閾値を超えたかどうかにより、指等の検出対象物が表面パネル１５０にタッチ（接触）したかどうか、又は、近接したかどうかのタッチ判定を行なう。
【００３３】
ここで、検出信号Ｓ１に基づく容量変化値ΔＣＸ１−Ｙと検出信号Ｓ２に基づく容量変化値ΔＣＸ２−Ｙとから算出する値は、種々の演算が適用可能であるが、本実施の形態では、容量変化値ΔＣＸ１−ＹとΔＣＸ２−Ｙとの線形結合により算出する値を採用した。容量変化値ΔＣＸ１−ＹとΔＣＸ２−Ｙとは、結合定数Ｒにより線形結合され、ΔＣＸ１−Ｙ＋ＲΔＣＸ２−Ｙとして求められる。
【００３４】
指サイズをＤ、指位置をｚとおくと、十分小さい範囲では線形近似が可能である。すなわち、ΔＣＸ１−Ｙ＝ａ１・Ｄ＋ｂ１・ｚ＋ｃ１、ΔＣＸ２−Ｙ＝ａ２・Ｄ＋ｂ２・ｚ＋ｃ２とおける。
【００３５】
Ｒ＝−ａ１／ａ２
とすると、ΔＣＸ１−Ｙ＋ＲΔＣＸ２−Ｙ＝（ｂ１−ａ１ｂ２／ａ２）ｚ＋（ｃ１−ａ１ｃ２／ａ２）
となり、指サイズＤに対する依存がなくなる。
これにより、容量変化値ΔＣＸ１−ＹとΔＣＸ２−Ｙとの線形結合により算出する値に基づいてタッチ判定を行なうことにより、検出対象物である指が太くても細くても同じ条件でタッチ判定を行なうことができる。
【００３６】
図３（ａ）は、図２（ｂ）において、駆動電極と第１検出電極との間の電気力線を模式的に示した図であり、図３（ｂ）は、図２（ｂ）において、駆動電極と第２検出電極との間の電気力線を模式的に示した図である。
【００３７】
図３（ａ）に示すように、駆動電極１１１と第１検出電極１２１との間の電場２０１の分布は、表面パネル１５０の近くに偏在する。これにより、指３００が表面パネル１５０から離れると、容量変化値ΔＣＸ１−Ｙが急激に低下する。
【００３８】
一方、図３（ｂ）に示すように、駆動電極１１１と第２検出電極１２２との間の電場２０２の分布は、表面パネル１５０の遠くまで存在する。これにより、指３００が表面パネル１５０から離れても、容量変化値ΔＣＸ２−Ｙの低下は緩やかである。
【００３９】
したがって、制御部１３０は、上記説明したような、容量変化値の特性が異なる検出値を演算することにより、検出対象物である指が太くても細くても同じ条件でタッチ判定を行なうことができる。
【００４０】
（シミュレーション例）
以下において、具体的な数値例により実施したシミュレーション例を示す。
【００４１】
図４は、次の図５（ａ）〜（ｃ）に示す指位置ｚ、指サイズと静電容量変化値との関係をシミュレーションにより求めるモデル、条件を示すもので、図４（ａ）は、モデル化した指（４角柱）と駆動電極、第１検出電極、第２検出電極との位置関係を示す斜視図であり、図４（ｂ）は、駆動電極に沿って断面したＣ-Ｃ断面図である。
【００４２】
シミュレーションのモデルとして、検出対象物である指を４角柱とした。図４（ｂ）に示すように、指位置の基準を表面パネル１５０のパネル表面１５１にとり、その位置をｚ＝０とした。
【００４３】
シミュレーションにおけるパラメータとして、図４（ａ）に示すように、駆動電極、第１検出電極、第２検出電極の各電極幅ｗ１、ｗ２、ｗ３をそれぞれ１ｍｍ、１ｍｍ、５ｍｍに設定した。また、指サイズをＤ（ｍｍ）、パネル表面１５１から駆動電極１１１までの距離をｄ１、駆動電極１１１から第１検出電極１２１までの距離をｄ２、駆動電極１１１から第２検出電極１２２までの距離をｄ３とした。ｄ１、ｄ２、ｄ３をそれぞれ０．１ｍｍ、０．４ｍｍ、０．９ｍｍに設定した。
【００４４】
（シミュレーション結果）
図５（ａ）は、駆動電極と第１検出電極との間のタッチ時の静電容量変化値を指位置ｚと指サイズＤとの関係で図示したもので、各ハッチング領域が右に示した静電容量変化値を示す領域である。図５（ｂ）は、駆動電極と第２検出電極との間のタッチ時の静電容量変化値を指位置ｚと指サイズＤとの関係で図示したもので、各ハッチング領域が右に示した静電容量変化値を示す領域である。また、図５（ｃ）は、駆動電極と第１検出電極との間のタッチ時の静電容量変化値、駆動電極と第２検出電極との間のタッチ時の静電容量変化値に基づく線形結合を指位置ｚと指サイズＤとの関係で図示したもので、各ハッチング領域が右に示した静電容量変化値を示す領域である。
【００４５】
図５（ａ）の結果から、指位置ｚの変化に対しては容量変化値ΔＣＸ１−Ｙの変化が大きく、指サイズＤの変化に対しては容量変化値ΔＣＸ１−Ｙの変化が小さいといえる。
【００４６】
図５（ｂ）の結果から、指位置ｚの変化に対しては容量変化値ΔＣＸ２−Ｙの変化が小さく、指サイズＤの変化に対しては容量変化値ΔＣＸ２−Ｙの変化が大きいといえる。
【００４７】
上記示した容量変化値ΔＣＸ１−ＹとΔＣＸ２−Ｙを、結合定数をＲ＝−５．１とした線形結合の値は、図５（ｃ）のようになる。この結果から、線形結合された容量変化値ΔＣＸ１−Ｙ＋ＲΔＣＸ２−Ｙは、指位置ｚに対する依存のみとなる。この図から、閾値を適当に設定することにより、たとえば指位置ｚが１ｍｍ以下のタッチのみを検知可能とすることができる。また、指サイズＤ（検出対象物の接触又は近接時の面積）が多少異なっても安定したタッチ検出が可能になる。したがって、標準の指サイズの範囲内では、指サイズによらずに指位置ｚによって容量変化値が決まるので、指サイズの影響を受けにくい条件の下で、容量変化値ΔＣＸ１−Ｙ＋ＲΔＣＸ２−Ｙに基づいてタッチ判定をすることが可能になる。
【００４８】
（本発明の実施の形態の効果）
本発明の実施の形態に係る静電検出装置は、以下のような効果を有する。
（１）第２検出電極１２２は、第１検出電極１２１よりも駆動電極１１１からの離間距離が大きく設定されている。これにより、駆動電極１１１と第１検出電極１２１との間の電場２０１の分布は、表面パネル１５０の近くに偏在する。一方、駆動電極１１１と第２検出電極１２２との間の電場２０２の分布は、表面パネル１５０の遠くまで存在する。これにより、容量変化値の特性が異なる検出値を演算することにより、検出対象物である指が太くても細くても同じ条件でタッチ判定を行なうことができる。
（２）第２検出電極１２２は、第１検出電極よりも電極幅が幅広に設定されている。これにより、第１検出電極１２１が、検出対象物が接近する方向に対して第２検出電極１２２へ投影した場合に第２検出電極１２２の一部と重なる位置に配置されていても、第２検出電極１２２と駆動電極１１１との間で電場２０２が阻害されず分布する。
（３）本実施の形態では、容量変化値ΔＣＸ１−ＹとΔＣＸ２−Ｙとの線形結合により算出する値を採用した。容量変化値ΔＣＸ１−ＹとΔＣＸ２−Ｙとは、結合定数Ｒにより線形結合され、ΔＣＸ１−Ｙ＋ＲΔＣＸ２−Ｙとして求められる。結合定数Ｒを所定の条件に設定することにより、指サイズＤに対する依存がなくなる。これにより、容量変化値ΔＣＸ１−ＹとΔＣＸ２−Ｙとの線形結合により算出する値に基づいてタッチ判定を行なうことにより、検出対象物である指が太くても細くても同じ条件でタッチ判定を行なうことができる。
（４）シミュレーション結果で示したように、容量変化値ΔＣＸ１−ＹとΔＣＸ２−Ｙを線形結合した容量変化値ΔＣＸ１−Ｙ＋ＲΔＣＸ２−Ｙは、指位置ｚに対する依存のみとなる。すなわち、指サイズＤ（検出対象物の接触又は近接時の面積）が多少異なっても安定したタッチ検出が可能になる。したがって、標準の指サイズの範囲内では、指サイズによらずに指位置ｚによって容量変化値が決まるので、指サイズの影響を受けにくい条件の下で、容量変化値ΔＣＸ１−Ｙ＋ＲΔＣＸ２−Ｙに基づいてタッチ判定をすることが可能になる。
【００４９】
以上、本発明の実施の形態を説明したが、これらの実施の形態は、一例に過ぎず、特許請求の範囲に係る発明を限定するものではない。これら新規な実施の形態およびその変形例は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態およびその変形例は、発明の範囲及び要旨に含まれるとともに、特許請求の範囲に記載された発明とその均等の範囲に含まれる。
【符号の説明】
【００５０】
１０…静電検出装置
１００…タッチパッド部、１１０…駆動部、１１１…駆動電極（Ｙ１〜Ｙｍ）
１２０…読出部、１２１…第１検出電極（Ｘ１１〜Ｘ１ｎ）、１２２…第２検出電極（Ｘ２１〜Ｘ２ｎ）
１３０…制御部、１３１…タッチ検出部
１５０…表面パネル、１５１…パネル表面
２０１、２０２…電界分布
３００…指
【図１】
2016224607.tif 000003
【図２】
2016224607.tif 000004
【図３】
2016224607.tif 000005
【図４】
2016224607.tif 000006
【図５】
2016224607.tif 000007